(57)【要約】      （修正有）【課題】揺れを感知する震感スイッチを採用した震感照明器具が点灯することにより暗闇のなか避難を開始するまでの時間の短縮をはかり、避難初期に要する時間を短縮する事により人的被害の軽減を図るとともに、逃げ遅れにより家屋が倒壊し被害を受けた場合の救助に際し警報音により被災者の位置を知らせ迅速且つ円滑な救助活動を助ける震感照明器具を提供する。【解決手段】夜間の地震発生に伴い地震の揺れを感知する震感スイッチを採用した震感照明器具が自動で暗闇の部屋に点灯し、初期の避難行動をより容易にして避難開始までの時間を短縮することが人的被害を軽減し、また家屋の倒壊による被災時には警報音により被災者の位置を知らせ迅速且つ円滑な救助活動により救助時間の短縮を図る震感照明器具を提供する。【選択図】図５
0003133044.tif 000002
【実用新案登録請求の範囲】
【請求項１】
地震の揺れを感知して揺れる構造の分銅と分銅を吊り下げた銅管震感棒の中央孔下部に挿入内蔵された小型永久磁石の磁力により周囲の鉄製震感リングに密着通電する震感スィッチと電源部（乾電池）と照明部（豆電球）及び警報音発生器からなる震感照明器具において、前記分銅を吊り下げた銅管震感棒の中央孔下端に挿入内蔵された小型永久磁石を有する震感棒と鉄製震感リングとからなり、該磁石の磁力により揺れを感知して鉄製震感リングに密着し通電する構造である事を特徴とする震感照明器具。
【請求項２】
前記震感スィッチは電導効率の良い銅管の中央孔に小型永久磁石を挿入内蔵し揺れを感じた分銅と分銅を吊り下げた銅管震感棒の中央孔に挿入内蔵した小型永久磁石の磁力により周囲の鉄製リングに密着し通電する磁石構造であることを特徴とする請求項１に記載の震感照明器具。
【請求項３】
前記照明部に接続され照明点灯と同時に警報音を発する警報音発生装置を併せ持った構造であることを特徴とする請求項１または請求項２記載の震感照明器具。
（１）
【考案の詳細な説明】
【技術分野】
【０００１】
本考案は、頻繁に発生する地震が夜間に発生した際津波や家屋倒壊による人的被害の軽減をめざし、地震の揺れに感知する震感スィッチを採用した震感照明器具を部屋に固定し揺れを感知していち早く寝室など設置場所に明かり及び警報音を提供し避難初期に要する時間の短縮をはかる震感照明器具に関するもの。
【背景技術】
【０００２】
従来、地震時の非常灯として蓄電池に充電器を備え商用電源を利用し地震発生時揺れを感じた親器からの送信を子器が受信して作動するもの（特許文献１）や、乾電池を利用し地震時に落下する錘の重力により点灯するもの（特許文献２）が考案されている。
【特許文献１】特開２００６−１９４８４７公報
【特許文献２】特開平８−３３９７０１公報
【考案の開示】
【考案が解決しようとする課題】
【０００３】
本考案は寝室など屋内の壁や柱に固定し地震の揺れを分銅と銅管の中央孔に小型永久磁石を挿入内蔵した震感スィッチ棒が震感スィッチ鉄製リングに磁力により密着し通電するシステムの震感スィッチを採用した震感照明器具である、地震発生時に暗闇の部屋に明かりを提供し暗闇の恐怖からの脱却と震度６の烈震以上では身辺の非常持ち出し品は激しい揺れにより定位置から移動している、この様な状況下で懐中電灯などの非常持ち出し品を手にして避難を開始するまでの時間の短縮が重要である、また熟睡時には同時に警報音で知らせる、出入口に設置すれば避難路表示灯となり、警報音は万一家屋倒壊により下敷きになった時救助員に寝室の位置を示し迅速且つ円滑な救助活動を助ける、また震感スィッチを簡単構造として安価で地震による人的被害の軽減をめざす震感照明器具を提供する。
【課題を解決するための手段】
【０００４】
本考案は地震を電導効率の良い銅管の中央孔下端に小型永久磁石を挿入内蔵した震感スィッチ棒と下端に吊り下げた分銅が揺れることにより震感スィッチ棒下部に挿入内蔵した小型永久磁石の周辺に配置された震感スィッチ鉄製リングに磁力で密着し通電することにより自動で照明が点灯し、同時に警報音が地震を知らせて避難の初期行動を助ける、上記の震感スィッチ鉄製リングは強磁性体で電導効率の良い材質であれば特定されるものではない。
【考案の効果】
【０００５】
地震から命を守るのは各人、各家庭からであり各家庭では関係防災機関の指導により家庭内避難路を複数予定している、特に津波が予想される地域や家屋倒壊が懸念される家庭では初期避難の円滑な行動が生死の分かれ目とも言われている、震度６の烈震以上では重い家具でも移動、転倒する、定位置の非常持出品も移動している、本考案は建物に固定し、電源は乾電池のみとして簡単かつ単純な構造であり、安価で提供する事により家族の各寝室に設置し迅速な家庭内避難により地震による人的被害の軽減をめざす。
【考案を実施するための最良の形態】
【０００６】
本考案は接続丁番（１１）により開閉出来る、照明器具（図１）の正面には照明器具（２a）豆電球（２b）パイロットランプ（３）、警報音スィッチ（４）照明スィッチ（５）を、内部（図５）には震感スィッチ（図６）、警報音発生器具（７）乾電池（８）を備え、寝室の梁や柱またベッドサイドに器具固定用穴（９）２箇所を木ねじ又は釘で固定する、分銅（１０）を吊り下げ、小型永久磁石（１９）を挿入内蔵した震感スィッチ銅管棒（１７）が震感スィッチ鉄製リング（６）の中央で静止させ照明スィッチ（５）と警報音スィッチ（４）を「入」とする、随時電池残量確認プッシュスィッチ（２０）によりパイロットランプの明るさで確認する。
【実施例】
【０００７】
以下、添付図面を参照し、本考案の実施例を説明する。
図１は本考案に係る震感照明器具の家屋に設置された状況での正面図である、図２は図１の左側面図、図３は図１の右側面図、図４は図１の底面図で、照明器具容器１の材料は耐久性のプラスチック、板材等適宜材料として、表裏二つの箱側面を２個の接続丁番１１で接続し自在開閉とする、一方の側面は開閉できる蓋止金具１２をとりつける。
【０００８】
図５は震感照明器具を開いた内部の正面図である、右半分は２つの器具固定用穴９で固定される、内容部品は乾電池８、警報音発生器具７、震感スィッチ図６とし、左側の蓋部分には照明器具２a、パイロットランプ３、警報音スィッチ４，照明スィッチ５及び電池残量確認プッシュスィッチ２０を配置する。
【０００９】
図６は震感スィッチの詳細図で４本のスィッチリング支持金具１８の先端を絶縁ゴム１６に差込み絶縁ゴム１６のゴム部を震感スィッチ取付け具１５により震感照明器具図５の内部右部にとりつける。
【００１０】
絶縁ゴム１６の中心を通過する陽極金具１３先端フック部に小型永久磁石１９を挿入内蔵された震感スィッチ銅管棒１７を吊し、最下端にフックで分銅１０を接続する
【００１１】
垂直に取り付た後、震感スィッチ鉄製リング６の中心で震感スィッチ銅管棒と分銅１０が静止した後に各スィッチ４，５を入るにして設定完了
【図面の簡単な説明】
【００１２】
【図１】本考案の震感照明器具の正面図。
【図２】本考案の震感照明器具の左側面図。
【図３】本考案の震感照明器具の右側面図。
【図４】本考案の震感照明器具の底面図。
【図５】本考案の震感照明器具内部の正面図。
【図６】本考案の震感スィッチの詳細図。
【図７】本考案の震感照明器具の配線図。
【符号の説明】
【００１３】
１    照明器具容器
２a   照明器具
２b   豆電球（４．８V  ０．５A）
３    パイロットランプ
４    警報音スィッチ
５    照明スィッチ                                                              ６    震感スィッチ鉄製リング
７    警報音発生器具
８    乾電池  単１×４
９    器具固定用穴
１０    分銅
１１    接続丁番
１２    蓋止金具
１３    陽極接点
１４    陰極接点
１５    震感スィッチ取り付け具
１６    絶縁ゴム
１７    震感スィッチ銅管棒
１８    スィッチリング支持金具
１９    小型永久磁石径３mm×４mm
２０    電池残量確認プッシュスィッチ
【図１】
0003133044.tif 000003
【図２】
0003133044.tif 000004
【図３】
0003133044.tif 000005
【図４】
0003133044.tif 000006
【図５】
0003133044.tif 000007
【図６】
0003133044.tif 000008
【図７】
0003133044.tif 000009